(57)【特許請求の範囲】
【請求項１】
前後輪のうち一方を主駆動輪とし他方を副駆動輪とした４輪駆動系を備え、
前記前後輪の駆動力配分を変化させる駆動力配分制御を実施する駆動力配分制御手段と、
自動車速制御として、設定車速を維持する定速走行制御と先行車との車間距離を一定に保つ車間距離制御の少なくとも一方を実施する自動車速制御手段と、
を備えた４輪駆動車の駆動力配分制御装置において、
前記自動車速制御の作動時における前記駆動力配分の比の変化率を、自動車速制御非作動時における駆動力配分の比の変化率よりも低下させる駆動力配分変化率制御手段を備えることを特徴とする４輪駆動車の駆動力配分制御装置。
【請求項２】
請求項１に記載の４輪駆動車の駆動力配分制御装置において、
前記駆動力配分変化率制御手段は、自動車速制御の作動時における前記駆動力配分の比の変化率を、自動車速制御非作動時における駆動力配分の比の変化率の１次遅れ特性とすることを特徴とする４輪駆動車の駆動力配分制御装置。
【請求項３】
請求項１または請求項２に記載の４輪駆動車の駆動力配分制御装置において、
前記駆動力配分変化率制御手段は、前記車間距離走行制御の作動時、先行車に対する設定距離が短いほど、前記駆動力配分の比の変化率を低下させることを特徴とする４輪駆動車の駆動力配分制御装置。
【請求項４】
請求項１ないし請求項３のいずれか１項に記載の４輪駆動車の駆動力配分制御装置において、
前記駆動力配分変化率制御手段は、前記車間距離制御の作動時、実際の車間距離が短いほど、前記駆動力配分の比の変化率を低下させることを特徴とする４輪駆動車の駆動力配分制御装置。
【請求項５】
請求項１ないし請求項４のいずれか１項に記載の４輪駆動車の駆動力配分制御装置において、
運転者が４輪駆動モードを選択可能な４輪駆動選択手段を設け、
前記駆動力配分変化率制御手段は、４輪駆動モードが選択されている場合、前後輪の駆動力配分比を一定とすることを特徴とする４輪駆動車の駆動力配分制御装置。
【請求項６】
請求項１ないし請求項５のいずれか１項に記載の４輪駆動車の駆動力配分制御装置において、
前記自動車速制御手段は、前記自動車速制御の作動時、極低μ路を走行中であると判定された場合、自動車速制御を解除することを特徴とする４輪駆動車の駆動力配分制御装置。
【請求項７】
請求項１ないし請求項６のいずれか１項に記載の４輪駆動車の駆動力配分制御装置において、
前記自動車速制御手段は、前記自動車速制御の作動時、運転者が操舵を行った場合、自動車速制御を解除することを特徴とする４輪駆動車の駆動力配分制御装置。
【請求項８】
請求項６または請求項７に記載の４輪駆動車の駆動力配分制御装置において、
前記自動車速制御の解除を運転者に知らせる報知手段を設けたことを特徴とする４輪駆動車の駆動力配分制御装置。
【請求項９】
請求項１ないし請求項８のいずれか１項に記載の４輪駆動車の駆動力配分制御装置において、
前記自動車速制御手段は、前記駆動力配分制御の作動時、前記定速走行制御の設定車速に対し現在の車速を維持する車速の許容幅を、駆動力配分制御非作動時の車速の許容幅よりも大きくすることを特徴とする４輪駆動車の駆動力配分制御装置。
【請求項１０】
前後輪の駆動力配分を変化させる駆動力配分制御を実施すると共に、自動車速制御として、設定車速を維持する定速走行制御と先行車との車間距離を一定に保つ車間距離制御の少なくとも一方を実施する４輪駆動車の駆動力配分制御装置において、
前記自動車速制御の作動時における前後輪の駆動力配分の比の変化率を、自動車速制御非作動時における駆動力配分の比の変化率よりも低下させることを特徴とする４輪駆動車の駆動力配分制御装置。
【発明の詳細な説明】
【技術分野】
【０００１】
本発明は、前後輪の駆動力配分を変化させる駆動力配分制御を実施する駆動力配分制御手段と、自動車速制御として、設定車速を維持する定速走行制御と先行車との車間距離を一定に保つ車間距離制御の少なくとも一方を実施する自動車速制御手段と、を備えた４輪駆動車の駆動力配分制御装置の技術分野に属する。
【背景技術】
【０００２】
従来、前輪を駆動するエンジンと後輪を駆動するモータを備え、走行状態に応じて２輪駆動または４輪駆動で走行する４輪駆動車において、定速走行制御の作動時、路面状況に応じて２輪駆動と４輪駆動とを切り替える駆動力配分制御を行っている（例えば、特許文献１参照。）。
【特許文献１】特開２００５−２２５２８２号公報
【発明の開示】
【発明が解決しようとする課題】
【０００３】
しかしながら、上記従来技術にあっては、定速走行制御に対する駆動力配分制御の干渉により、車両の前後加速度が変動し、運転者に違和感を与えるという問題があった。例えば、定速走行制御の作動中に後輪がスリップし、２輪駆動から４輪駆動へと切り替わると、後輪には急に駆動力が発生するため、車速が設定車速を超えてしまう。このとき、定速走行制御では、車速を設定車速まで引き下げるために自動ブレーキを作動し、車両の前後加速度が大きく変動する。この意図しない加速度変動が運転者に違和感を与えていた。
【０００４】
本発明は、上記問題に着目してなされたもので、その目的とするところは、自動車速制御に対する駆動力配分制御の干渉を抑制でき、運転者に与える違和感を軽減できると共に、車両挙動の安定化を図ることができる４輪駆動車の駆動力配分制御装置を提供することにある。
【課題を解決するための手段】
【０００５】
上記目的を達成するため、本発明では、
前後輪のうち一方を主駆動輪とし他方を副駆動輪とした４輪駆動系を備え、
前記前後輪の駆動力配分を変化させる駆動力配分制御を実施する駆動力配分制御手段と、
自動車速制御として、設定車速を維持する定速走行制御と先行車との車間距離を一定に保つ車間距離制御の少なくとも一方を実施する自動車速制御手段と、
を備えた４輪駆動車の駆動力配分制御装置において、
前記自動車速制御の作動時における前記駆動力配分の比の変化率を、自動車速制御非作動時における駆動力配分の比の変化率よりも低下させる駆動力配分変化率制御手段を備えることを特徴とする。
【発明の効果】
【０００６】
よって、本発明の４輪駆動車の駆動力配分制御装置にあっては、自動車速制御の作動時、駆動力配分変化率制御手段において、前後輪の駆動力配分の比の変化率を、自動車速制御非作動時における駆動力配分の比の変化率よりも低下させる。すなわち、自動車速制御が作動している場合には、駆動力配分比の変化を遅くすることで、駆動力配分の過程で生じる加速度変化を緩やかにし、自動車速制御への影響を小さく抑えようとするものである。
この結果、自動車速制御に対する駆動力配分制御の干渉を抑制でき、運転者に与える違和感を軽減できると共に、車両挙動の安定化を図ることができる。
【発明を実施するための最良の形態】
【０００７】
以下、本発明の４輪駆動車の駆動力配分制御装置を実施するための最良の形態を、図面に示す実施例１〜５に基づいて説明する。
【実施例１】
【０００８】
まず、構成を説明する。
図１は実施例１の４輪駆動車の駆動力配分制御装置が適用されたハイブリッド４輪駆動車（ハイブリッド４輪駆動車の一例）を示す全体システム図である。
【０００９】
実施例１の前輪駆動ベースによるハイブリッド４輪駆動車は、図１に示すように、エンジン１と、フロントモータ２Fと、リアモータ２Rと、左前輪タイヤ（主駆動輪）３FLと、右前輪タイヤ（主駆動輪）３FRと、左後輪タイヤ（副駆動輪）３RLと、右後輪タイヤ（副駆動輪）３RRと、フロントディファレンシャル４Fと、リアディファレンシャル４Rと、フロントトランスミッション５Fと、リアトランスミッション５Rと、を備えている。
【００１０】
フロントモータ２Fとリアモータ２Rは、電動発電機として、力行と回生の両方を行う。
左右前輪タイヤ３FL，３FRは、エンジン１とフロントモータ２Fのうち少なくとも一方を駆動源とし、フロントトランスミッション５Fを経過した駆動力が、フロントディファレンシャル４Fにより左右等配分にして駆動される。
【００１１】
左右後輪タイヤ３RL，３RRは、リアモータ２Rのみを駆動源とし、リアトランスミッション５Rを経過した駆動力が、リアディファレンシャル４Rにより左右等配分にして駆動される。なお、リアディファレンシャル４Rは、内部に設定された差動制限クラッチの締結力制御や、内部に設定された左クラッチと右クラッチに対する締結力制御により左右駆動力配分を制御可能としても良い。
【００１２】
実施例１のハイブリッド４輪駆動車の駆動力配分制御系は、図１に示すように、車輪速センサ６と、舵角センサ７と、横加速度センサ８と、車速センサ９と、アクセル開度センサ１０と、コントローラ１１と、強電バッテリ１２と、フロントインバータ１３Fと、リアインバータ１３Rと、車間距離センサ１４と、自動速度制御選択スイッチ１５と、4WDモード選択スイッチ（４輪駆動選択手段）１６と、ブレーキアクチュエータ１７と、を備えている。
【００１３】
車輪速センサ６は、左前輪速センサ６FL、右前輪速センサ６FR、左後輪速センサ６RL、右後輪速センサ６RRにより構成され、各輪のタイヤ回転数情報を得る。
舵角センサ７は舵角を検出する。横加速度センサ８は横加速度を検出する。車速センサ９は車速を検出する。アクセル開度センサ１０はアクセル開度を検出する。車間距離センサ１４は、先行車と自車の車間距離を検出する。
【００１４】
自動速度制御選択スイッチ１５は、運転者が自動速度制御の作動／非作動を選択するスイッチであり、自動速度制御としては、定速走行制御と車間距離制御のどちらか一方を選択可能である。
4WDモード選択スイッチ１６は、運転者が4WDモード（４輪駆動モード）を選択するスイッチである。
【００１５】
コントローラ１１は、車輪速センサ６、舵角センサ７、横加速度センサ８、車速センサ９、アクセル開度センサ１０、車間距離センサ１４、自動速度制御選択スイッチ１５および4WDモード選択スイッチからの信号に基づいて、自動車速制御および駆動力配分制御とを実施する（自動車速制御手段、駆動力配分制御手段）。
【００１６】
定速走行制御は、運転者があらかじめ設定した設定車速を維持するようにエンジン１＋フロントモータ２Fとリアモータ２Rとによる駆動力制御と、ブレーキアクチュエータ１７による自動ブレーキ制御とを行うもので、自動速度制御選択スイッチ１５において定速走行制御の選択により作動を開始し、運転者のアクセル操作またはブレーキ操作により解除される。
【００１７】
車間距離制御は、先行車との車間距離を車速に応じてあらかじめ設定された設定距離に維持するようにエンジン１＋フロントモータ２Fとリアモータ２Rとによる駆動力制御と、ブレーキアクチュエータ１７による自動ブレーキ制御とを行うもので、自動速度制御選択スイッチ１５において車間距離制御の選択により作動を開始し、運転者のアクセル操作またはブレーキ操作により解除される。
【００１８】
駆動力配分制御は、前後輪の駆動力配分を変化させる制御であり、基本的に前後輪速度差Δfrが大きくなるほど、すなわち、前輪スリップ率が高くなるほど、リアモータ２Rの駆動力を大きくする。つまり、左右の後輪タイヤ３RL，３RRへ伝達される駆動力を大きくするフィードバック制御を行と共に、前後輪での総出力トルクが、アクセル開度にあらわれる運転者の要求駆動力となるように、前後輪の駆動力配分比率に応じて、前輪側駆動源であるエンジン１＋フロントモータ２Fと後輪側駆動源であるリアモータ２Rとで目標駆動力を振り分け、両駆動源に対し前輪トルク指令値と後輪トルク指令値を出力する。
【００１９】
駆動力配分制御は、車両の発進時や急加速時、低μ路等の悪路走行時（前輪のスリップ率から判定）に作動する。実施例１では、自動車速制御の作動中に前輪スリップにより駆動力配分制御を実施する場合、駆動力配分の比の変化率を、自動車速制御非作動時における駆動力配分の比の変化率よりも低下させることで、自動車速制御に対する駆動力配分制御の干渉を抑制する。
【００２０】
強電バッテリ１２は、両インバータ１３F，１３Rを経由して電力を両モータ２F，２Rに供給すると共に、両モータ２F，２Rによる発電電力を回収する役目も果たす。
フロントインバータ１３Fとリアインバータ１３Rは、強電バッテリ１２の電気エネルギーを両モータ２F，２Rへ供給すると共に、両モータ２F，２Rにより回生した電気エネルギーを強電バッテリ１２へ戻す役割を果たす。
【００２１】
［駆動力配分制御処理］
図２は、実施例１のコントローラ１１で実行される駆動力配分制御処理の流れを示すフローチャートで、以下、各ステップについて説明する。
【００２２】
ステップS1では、4WDモード選択スイッチ１６からの信号に基づき、4WDモードが作動中であるか否かを判定する。YESの場合にはステップS2へ移行し、NOの場合にはステップS5へ移行する。
【００２３】
ステップS2では、自動速度制御選択スイッチ１５からの信号に基づいて、定速走行制御または車間距離制御が作動中であるか否かを判定する。YESの場合にはステップS3へ移行し、NOの場合にはステップS4へ移行する。
【００２４】
ステップS3では、車輪速センサ６と車速センサ９とアクセル開度センサ１０からの信号に基づいて前後輪に駆動力を配分する通常時駆動力配分制御（図５(a)）を実施し、リターンへ移行する。
【００２５】
ステップS4では、前後輪の駆動力配分比を一定（図６(b)）とし、リターンへ移行する（駆動力配分変化率制御手段）。
【００２６】
ステップS5では、車輪速センサ６と車速センサ９からの信号に基づいて、前輪スリップ率が所定値を超えているか否かを判定する。YESの場合にはステップS6へ移行し、NOの場合にはリターンへ移行する。実施例１では、前輪スリップ率を、車体速に対する車輪速の速度超過分（単位はkm/h）、すなわち、車輪速から車体速を減じた値で表すこととする。また、所定値は、低μ路走行中であると推定可能な車輪速の速度超過分とする。
【００２７】
ステップS6では、自動速度制御選択スイッチ１５からの信号に基づいて、定速走行制御または車間距離制御が作動中であるか否かを判定する。YESの場合にはステップS7へ移行し、NOの場合にはステップS8へ移行する。
【００２８】
ステップS7では、通常時の駆動力配分制御よりも駆動力配分比の変化率を制限（低下）する自動速度制御作動時駆動力配分制御（図５(b)）を実施し、リターンへ移行する（駆動力配分変化率制御手段）。
【００２９】
ステップS8では、ステップS3と同様、通常時駆動力配分制御を実施し、リターンへ移行する。
【００３０】
［自動速度制御解除処理］
図３，図４は、実施例１のコントローラ１１で実行される自動速度制御解除制御処理の流れを示すフローチャートで、以下、各ステップについて説明する。なお、図３と図４の制御は、自動速度制御作動時、並列的に実施される。
【００３１】
図３は、路面状態に応じた自動速度制御解除制御処理の流れを示すフローチャートである。
ステップS21では、前輪スリップ率（車輪速と車体速との差）が極低μ路判定閾値（例えば、5km/h）を超えているか否かを判定する。YESの場合にはステップS22へ移行し、NOの場合にはステップS28へ移行する。
【００３２】
ステップS22では、後輪スリップ率が極低μ路判定閾値（例えば、5km/h）を超えているか否かを判定する。YESの場合にはステップS23へ移行し、NOの場合にはステップS28へ移行する。
【００３３】
ステップS23では、前輪スリップ率>5km/h、かつ、後輪スリップ率>5km/hである状態の継続時間を累計し、ステップS24へ移行する。
【００３４】
ステップS24では、前輪スリップ率>5km/h、かつ、後輪スリップ率>5km/hである状態の継続時間が10msecを超えたか否かを判定する。YESの場合にはステップS25へ移行し、NOの場合にはステップS29へ移行する。
【００３５】
ステップS25では、自動速度制御を解除すると共に、自動速度制御解除をディスプレイや音声等を用いて運転者に知らせ、ステップS26へ移行する（報知手段）。
【００３６】
ステップS26では、自動速度制御が解除されたか否かを判定する。YESの場合にはステップS27へ移行し、NOの場合にはS25へ移行する。
【００３７】
ステップS27では、運転者への自動速度制御解除の通知を終了し、リターンへ移行する。
【００３８】
ステップS28では、前輪スリップ率>5km/h、かつ、後輪スリップ率>5km/hである状態の継続時間のカウントをリセットし、ステップS29へ移行する。
【００３９】
ステップS29では、自動速度制御が解除されたか否かを判定する。YESの場合にはエンドへ移行し、NOの場合にはリターンへ移行する。
【００４０】
図４は、操舵状態に応じた自動速度制御解除制御処理の流れを示すフローチャートである。
【００４１】
ステップS31では、舵角センサ７からの信号に基づき、操舵角絶対値が操舵判定閾値（例えば、10rad）を超えたか否かを判定する。YESの場合にはステップS32へ移行し、NOの場合にはステップS37へ移行する。
【００４２】
ステップ32では、操舵角絶対値>10radである状態の継続時間を累積し、ステップS33へ移行する。
【００４３】
ステップS33では、操舵角絶対値>10radである状態の継続時間が所定時間（例えば、10msec）を超えたか否かを判定する。YESの場合にはステップS34へ移行し、NOの場合にはステップS37へ移行する。
【００４４】
ステップS34〜ステップS38は、図３のステップS25〜ステップS29と同一の処理を行うため、説明を省略する。
【００４５】
次に、作用を説明する。
［駆動力配分変化率抑制作用］
図５(a)は、従来の駆動力配分制御における配分比と車両の前後加速度の変動を示すタイムチャートであり、特開２００５−２２５２８２号公報に記載の駆動力切替制御装置では、定速走行制御の作動時に前輪がスリップした場合、後輪への駆動力配分により2WDモードから4WDモードへと切り替えられる。
【００４６】
ここで、従来技術では、前輪にスリップが発生した時点t1で前後輪の駆動力配分の比を大きくしているが、後輪駆動用のモータを備えたハイブリッド車両の場合、モータの応答速度が高いため、後輪には急に駆動力が発生し、前輪の駆動力配分比を下げたにもかかわらず車両の駆動力は増加し、車速が設定車速を超えてしまう。このとき、定速走行制御では、車速を設定車速まで引き下げるために自動ブレーキを作動させ、この急制動により車両の前後加速度が大きく変動している。
【００４７】
続いて、時点t2では、駆動力配分制御において、前輪のスリップが緩和されたため、後輪の駆動力配分比を小さくしているが、上記と同様の理由により車両の駆動力が低下し、車速が設定車速を下回ってしまう。このとき、定速相応制御では、車速を設定車速まで上昇させるために車両の駆動力を低下させ、この急加速により車両の前後加速度が大きく変動している。
【００４８】
一方、上記ケースにおいて、先行車との車間距離を設定距離に保つ車間距離制御が作動している場合も同様の問題が発生する。すなわち、駆動力配分制御による速度上昇に伴い、先行車との車間距離が設定距離よりも短くなってしまうため、車間距離制御において、設定距離を維持するために自動ブレーキが作動する。
以上のように、従来の駆動力配分制御では、定速走行制御中に駆動力配分制御を実施することで、運転者の意図しない加速度変動を招き、運転者に違和感を与えるという問題があった。
【００４９】
これに対し、実施例１では、2WDモードで走行中、路面状況が高μ路から低μ路へ変化した場合、自動速度制御が作動しているときには、図２のフローチャートにおいて、ステップS1→ステップS5→ステップS7へと進み、通常時の駆動力配分制御よりも駆動力配分比の変化率を低下する自動速度制御作動時駆動力配分制御が実施される。
【００５０】
これにより、図５(b)に示すように、前輪スリップが発生した時点t1、および前輪スリップが緩和された時点t2において、前後輪の駆動力配分の比の変更に伴う前後加速度の変動が小さく抑えられる。よって、自動車速制御の作動中であっても、運転者の予期しない車両の前後加速度を抑制することができる。
【００５１】
［４輪駆動モード時の駆動力配分比固定作用］
実施例１では、4WDモードが選択されている場合、ステップS1→ステップS2→ステップS4へと進み、前後輪の駆動力配分比を一定とする。すなわち、図６に示すように、運転者の意志によりあらかじめ4WDモードが選択されている場合には、前後駆動力配分比を不変とすることで、安定な定速走行または車間距離維持が可能であり、急激な前後配分比の変更に伴う前後加速度の変動を無くすことができる。
【００５２】
［悪路および旋回時の自動速度制御解除作用］
実施例１では、自動車速制御の作動時、極低μ路を走行中であると判定された場合、自動車速制御を解除する。すなわち、図３のフローチャートにおいて、ステップS21→ステップS22→ステップS23→ステップS24へと進み、前後輪のスリップ率が極低μ路判定閾値を超えた状態が10msec継続した場合、極低μ路走行中であると判定し、ステップS25へと進んで自動速度制御を解除すると共に、自動速度制御解除をディスプレイや音声等を用いて運転者に知らせる。
【００５３】
４輪駆動でも安定な走行を確保することが困難となる悪路において、定速走行制御を継続した場合、車両挙動が不安定化するおそれがある。よって、悪路を検出した場合には、定速走行制御を解除することで、悪路で自動車速制御を継続することに起因する車両挙動の不安定化を回避することができる。また、自動速度制御の解除を運転者に報知することで、運転者に定速走行の自動解除を知らせることができると共に、運転者に対し安全運転を促すことにもつながる。
【００５４】
また、実施例１では、自動車速制御の作動時、運転者が操舵を行った場合、自動車速制御を解除する。すなわち、図４のフローチャートにおいて、ステップS31→ステップS32→ステップS33へと進み、操舵角が10radを超えた状態が所定時間（10msec）を超えて継続した場合、操舵状態が継続していると判定し、ステップS34へと進んで自動速度制御を解除すると共に、自動速度制御解除をディスプレイや音声等を用いて運転者に知らせる。
【００５５】
例えば、旋回時に定速走行制御を継続した場合、強アンダーステア等、車両の旋回挙動が不安定となるおそれがある。よって、操舵を検出した場合には、自動速度制御を解除することで、旋回挙動の安定化を図ることができる。
【００５６】
次に、効果を説明する。
実施例１の４輪駆動車の駆動力配分制御装置にあっては、下記に列挙する効果を得ることができる。
【００５７】
(1) 前後輪のうち前輪を主駆動輪とし後輪を副駆動輪とした４輪駆動系を備え、前後輪の駆動力配分を変化させる駆動力配分制御を実施する駆動力配分制御手段と、自動車速制御として、設定車速を維持する定速走行制御と先行車との車間距離を一定に保つ車間距離制御の少なくとも一方を実施する自動車速制御手段と、を備えた４輪駆動車の駆動力配分制御装置において、自動車速制御の作動時における駆動力配分の比の変化率を、自動車速制御非作動時における駆動力配分の比の変化率よりも低下させる駆動力配分変化率制御手段（ステップS7）を備える。これにより、自動車速制御に対する駆動力配分制御の干渉を抑制でき、運転者に与える違和感を軽減できると共に、車両挙動の安定化を図ることができる。
【００５８】
(2) 運転者が４輪駆動モードを選択可能な4WDモード選択スイッチ１６を設け、駆動力配分変化率制御手段（ステップS4）は、４輪駆動モードが選択されている場合、前後輪の駆動力配分比を一定とする。これにより、安定な定速走行または車間距離維持が可能となり、急激な前後配分比の変更に伴う前後加速度の変動を無くすことができる。
【００５９】
(3) 自動車速制御手段は、自動車速制御の作動時、極低μ路を走行中であると判定された場合、自動車速制御を解除する（ステップS25）ため、悪路で自動車速制御を継続することに起因する車両挙動の不安定化を回避することができる。
【００６０】
(4) 自動車速制御手段は、自動車速制御の作動時、運転者が操舵を行った場合、自動車速制御を解除する（ステップS34）ため、運転者の操舵介入後に自動車速制御を継続することに起因する車両挙動の不安定化を回避することができ、旋回挙動の安定化を図ることができる。
【００６１】
(5) 自動車速制御の解除を運転者に知らせる報知手段（ステップS25，ステップS34）を設けたため、運転者に自動車速制御の自動解除を認識させることができる。
【実施例２】
【００６２】
実施例２は、自動車速制御の作動時における駆動力配分の比の変化率を、自動車速制御非作動時における駆動力配分の比の変化率の１次遅れ特性とする例である。
【００６３】
なお、システム構成的には、実施例１の図１と同様であるので、図示並びに説明を省略する。
【００６４】
図７(a)は自動車速制御非作動時における通常の駆動力配分比であり、図７(b)は自動車速制御作動時における駆動力配分比である。図7(b)に示すように、実施例２では、自動車速制御作動時の駆動力配分比を、非作動時の１次遅れ特性としている。
【００６５】
次に、作用を説明すると、自動車速制御作動時の駆動力配分比を通常の１次遅れ特性とすることにより、実施例１と同様、前後輪の駆動力配分の比を変更する際に生じる加速度の変動を小さくできるため、自動車速制御の作動中であっても、運転者の予期しない車両の前後加速度を抑制することができる。
【００６６】
次に、効果を説明する。
実施例２の４輪駆動車の駆動力配分制御装置にあっては、実施例１の(1)〜(5)の効果に加え、下記の効果を得ることができる。
【００６７】
(6) 駆動力配分変化率制御手段は、自動車速制御の作動時における駆動力配分の比の変化率を、自動車速制御非作動時における駆動力配分の比の変化率の１次遅れ特性とするため、自動車速制御に対する駆動力配分制御の干渉を抑制でき、運転者に与える違和感を軽減できると共に、車両挙動の安定化を図ることができる。
【実施例３】
【００６８】
実施例３は、駆動力配分制御の作動時、定速走行制御の設定車速に対し現在の車速を維持する車速の許容幅を、駆動力配分制御非作動時の車速の許容幅よりも大きくする例である。
【００６９】
なお、システム構成的には、実施例１の図１と同様であるので、図示並びに説明を省略する。
【００７０】
図８は、定速走行制御の目標車速（設定車速）に対し現在の車速を維持する車速の許容幅である安定制御閾値の上限値と下限値とを示す図であり、実施例３では、定速走行制御において、4WD作動時の安定制御閾値（4WD用安定制御閾値）の下限値を4WD非作動時の安定制御閾値（通常安定制御閾値）の下限値よりも小さな値とし、かつ、4WD作動時の安定制御閾値の上限値を4WD非作動時の安定制御閾値の上限値よりも高い値としている。
【００７１】
［安定制御閾値許容幅設定制御処理］
図９は、実施例３のコントローラ１１で実行される安定制御閾値許容幅設定制御処理の流れを示すフローチャートで、以下、各ステップについて説明する。
【００７２】
ステップS41では、4WDモード選択スイッチ１６からの信号に基づき、4WDモードが作動中であるか否かを判定する。YESの場合にはステップS42へ移行し、NOの場合にはステップS43へ移行する。
【００７３】
ステップS42では、定速走行制御の安定制御閾値として4WD用安定制御閾値を選択し、リターンへ移行する。
【００７４】
ステップS43では、定速走行制御の安定制御閾値として通常安定制御閾値を選択し、リターンへ移行する。
【００７５】
次に、作用を説明する。
［安定制御閾値設定作用］
実施例３では、定速走行制御の作動中に前輪スリップが発生して駆動力配分制御が開始したとき、安定走行制御の安定制御閾値が、通常安定制御閾値から4WD用安定制御閾値に切り替えられる。すなわち、図９のフローチャートにおいて、ステップS41→ステップS42へと進み、定速走行制御の設定車速に対し現在の車速を維持する許容幅が拡大する。
【００７６】
つまり、実施例３では、前後輪の駆動力配分の比を変更する際に車両の前後加速度が変動し、車速が設定車速から外れた場合であっても、定速走行制御による車速の修正を行いにくくすることで、運転者の予期せぬ加速度変動を抑制しようとするものである。
【００７７】
実施例１，２では、駆動力配分制御側の制御を鈍することにより、前後加速度の変動を抑制したが、実施例３では、これに加え、定速走行制御側の制御を鈍することができるため、実施例１，２と比較して、自動車速制御と駆動力配分制御との干渉による加速度の変動をより小さくすることができる。
【００７８】
次に、効果を説明する。
実施例３の４輪駆動車の駆動力配分制御装置にあっては、実施例１の(1)〜(5)の効果に加え、下記の効果を得ることができる。
【００７９】
(7) 自動車速制御手段は、駆動力配分制御の作動時、定速走行制御の設定車速に対し現在の車速を維持する車速の許容幅を、駆動力配分制御非作動時の車速の許容幅よりも大きくする。これにより、自動車速制御と駆動力配分制御との干渉による加速度の変動をより抑制することができる。
【実施例４】
【００８０】
実施例４は、車間距離制御の作動時、先行車に対する設定距離が短いほど、駆動力配分の比の変化率を低下させる例である。
【００８１】
なお、システム構成的には、実施例１の図１と同様であるので、図示並びに説明を省略する。
【００８２】
図１０は、車間距離制御の設定距離に応じた駆動力配分比の変化率制限値設定マップであり、実施例４では、設定距離が長いほど変化率制限値を増加させる特性としている。「変化率制限値」とは、１制御周期内に許容される駆動力配分比の変化量であり、変化率制限値が小さいほど、駆動力配分の比の変化率が小さくなる。
【００８３】
ここで、実施例２に示したように、自動車速制御の作動時における駆動力配分の比の変化率を、自動車速制御非作動時における駆動力配分の比の変化率の１次遅れ特性とする場合には、変化率制限値に代えて、１次遅れ時間係数を用いてもよい。「１次遅れ時間係数」とは、１次遅れ時定数の逆数である。
【００８４】
次に、作用を説明する。
［設定距離に応じた駆動力配分変化率抑制作用］
図１１(a)は、車間距離制御作動時における変化率制限値の変化を示すタイムチャートであり、時点ta〜tbでは、設定距離が長いため、変化率制限値（もしくは１次遅れ時間係数）は高い値となっている。時点tbでは、設定距離が短くなるため、これに応じて変化率制限値が低い値に変化している。
【００８５】
このため、実施例４では、車間距離制御作動中に前輪スリップが発生し、駆動力配分制御が行われた場合には、図１１(b)の実線（破線は１次遅れ特性を採用した場合）で示すように、設定距離が短いほど、駆動力配分の比の変化率をより低下させることができる。
【００８６】
車間距離制御作動中、駆動力配分制御を実施する際、先行車に対する設定距離が短い場合には、先行車に対する設定距離が長い場合と比較して、実際の車間距離も短く、先行車へ過度に接近するおそれがあるため、運転者に与える違和感が大きく、かつ、自動ブレーキ等の追突防止制御の作動を強いられる可能性が高い。
【００８７】
これに対し、実施例４では、設定距離が短いほど駆動力配分の比の変化率を低下させるため、ブレーキアクチュエータ１７による自動ブレーキの作動を減少して先行車への過度な接近を抑制することができると共に、運転者に与える違和感を軽減することができる。
【００８８】
次に、効果を説明する。
実施例４の４輪駆動車の駆動力配分制御装置にあっては、実施例１の(1)〜(5)の効果に加え、下記の効果を得ることができる。
【００８９】
(8) 駆動力配分変化率制御手段は、車間距離制御の作動時、先行車に対する設定距離が短いほど、駆動力配分の比の変化率を低下させるため、先行車への過度な接近を抑制することができ、運転者に与える違和感を軽減することができる。
【実施例５】
【００９０】
実施例５は、車間距離制御の作動時、実際の車間距離が短いほど、駆動力配分の比の変化率を低下させる例である。
【００９１】
なお、システム構成的には、実施例１の図１と同様であるので、図示並びに説明を省略する。
【００９２】
図１２は、実際の車間距離（実車間距離）に応じた駆動力配分比の変化率制限値設定マップであり、実施例５では、実車間距離が長いほど変化率制限値を増加させる特性としている。なお、実施例４と同様に、自動車速制御の作動時における駆動力配分の比の変化率を、自動速度制御非作動時における駆動力配分の比の変化率の１次遅れ特性とする場合には、変化率制限値に代えて、１次遅れ時間係数を用いてもよい。
【００９３】
次に、作用を説明する。
［車間距離に応じた駆動力配分変化率抑制作用］
図１３(a)は、車間距離制御作動時における変化率制限値の変化を示すタイムチャートであり、実車間距離が変化する時点tc〜tdでは、実車間距離に応じて変化率制限値（もしくは１次遅れ時間係数）が変化している。
【００９４】
このため、実施例５では、車間距離制御作動中に前輪スリップが発生し、駆動力配分制御が行われた場合、実車間距離が短い場合には、図１３(b)の実線（破線は１次遅れ特性を採用した場合）に示すように、駆動力配分の比の変化率をより低下させることができる。
【００９５】
車間距離制御作動中、駆動力配分制御を実施する際、先行車との実車間距離が短い場合には、実車間距離が長い場合と比較して、先行車へ過度に接近するおそれがあるため、運転者へ与える違和感が大きく、かつ、自動ブレーキ等の追突防止制御の作動を強いられる可能性が高い。
【００９６】
これに対し、実施例５では、実車間距離が短いほど駆動力配分の比の変化率を低下させるため、ブレーキアクチュエータ１７による自動ブレーキの作動を減少して先行車への過度な接近を抑制することができると共に、運転者に与える違和感を軽減することができる。
【００９７】
次に、効果を説明する。
実施例５の４輪駆動車の駆動力配分制御装置にあっては、実施例１の(1)〜(5)の効果に加え、下記の効果を得ることができる。
【００９８】
(9) 駆動力配分変化率制御手段は、車間距離制御の作動時、実際の車間距離が短いほど、駆動力配分の比の変化率を低下させるため、先行車への過度な接近を抑制することができ、運転者に与える違和感を軽減することができる。
【００９９】
（他の実施例）
以上、本発明の４輪駆動車の駆動力配分制御装置を実施例１〜５に基づき説明してきたが、具体的な構成については、これらの実施例１〜５に限られるものではなく、特許請求の範囲の各請求項に係る発明の要旨を逸脱しない限り、設計の変更や追加等は許容される。
【０１００】
例えば、実施例１〜５では、前後輪にそれぞれモータを有するハイブリッド４輪駆動車への適用例を示したが、前後輪の駆動力配分を変化させる駆動力配分制御を実施すると共に、自動車速制御として、設定車速を維持する定速走行制御と先行車との車間距離を一定に保つ車間距離制御の少なくとも一方を実施する４輪駆動車であれば、本発明を適用することができる。
【図面の簡単な説明】
【０１０１】
【図１】実施例１の４輪駆動車の駆動力配分制御装置が適用されたハイブリッド４輪駆動車を示す全体システム図である。
【図２】実施例１のコントローラ１１で実行される駆動力配分制御処理の流れを示すフローチャートである。
【図３】実施例１のコントローラ１１で実行される路面状態に応じた自動速度制御解除制御処理の流れを示すフローチャートである。
【図４】実施例１のコントローラ１１で実行される操舵状態に応じた自動速度制御解除制御処理の流れを示すフローチャートである。
【図５】(a)従来の駆動力配分制御における配分比と車両の前後加速度の変動を示すタイムチャート、(b)実施例１の駆動力配分制御（駆動力配分変化率抑制）における配分比と車両の前後加速度の変動を示すタイムチャートである。
【図６】(a)従来の駆動力配分制御における配分比と車両の前後加速度の変動を示すタイムチャート、(b)実施例１の駆動力配分制御（配分比一定）における配分比と車両の前後加速度の変動を示すタイムチャートである。
【図７】(a)従来の駆動力配分制御における配分比と車両の前後加速度の変動を示すタイムチャート、(b)実施例２の駆動力配分制御（駆動力配分変化率抑制）における配分比と車両の前後加速度の変動を示すタイムチャートである。
【図８】定速走行制御の目標車速（設定車速）に対し現在の車速を維持する車速の許容幅である安定制御閾値の上限値と下限値とを示す図である。
【図９】実施例３のコントローラ１１で実行される安定制御閾値許容幅設定制御処理の流れを示すフローチャートである。
【図１０】実施例４の車間距離制御の設定距離に応じた駆動力配分比の変化率制限値設定マップである。
【図１１】(a)車間距離制御作動時における変化率制限値の変化を示すタイムチャート、(b)実施例４の駆動力配分制御（駆動力配分変化率抑制）における配分比と車両の前後加速度の変動を示すタイムチャートである。
【図１２】実施例５の実際の車間距離（実車間距離）に応じた駆動力配分比の変化率制限値設定マップである。
【図１３】(a)車間距離制御作動時における変化率制限値の変化を示すタイムチャート、(b)実施例５の駆動力配分制御（駆動力配分変化率抑制）における配分比と車両の前後加速度の変動を示すタイムチャートである。
【符号の説明】
【０１０２】
１  エンジン
２F  フロントモータ
２R  リアモータ
３FL  左前輪タイヤ
３FR  右前輪タイヤ
３RL  左後輪タイヤ
３RR  右後輪タイヤ
４F  フロントディファレンシャル
４R  リアディファレンシャル
５F  フロントトランスミッション
５R  リアトランスミッション
６  車輪速センサ
７  舵角センサ
８  横加速度センサ
９  車速センサ
１０  アクセル開度センサ
１１  コントローラ
１２  強電バッテリ
１３F  フロントインバータ
１３R  リアインバータ
１４  車間距離センサ
１５  自動速度制御選択スイッチ
１６  4WDモード選択スイッチ
１７  ブレーキアクチュエータ
【図１】
0004844238.tif 000002
【図２】
0004844238.tif 000003
【図３】
0004844238.tif 000004
【図４】
0004844238.tif 000005
【図５】
0004844238.tif 000006
【図６】
0004844238.tif 000007
【図７】
0004844238.tif 000008
【図８】
0004844238.tif 000009
【図９】
0004844238.tif 000010
【図１０】
0004844238.tif 000011
【図１１】
0004844238.tif 000012
【図１２】
0004844238.tif 000013
【図１３】
0004844238.tif 000014